(57)【特許請求の範囲】
【請求項１】
電力の供給を受けて工具を稼働させる電動駆動源と、
燃料と酸化剤とを酸化反応させることにより電力を発生させる燃料電池と、
前記燃料電池で発生した反応水を保水する保水手段と
前記保水手段に設けられ、反応水が流入する排水入口が設けられたタンク部と、
反応水を排出する排水出口から反応水が前記排水入口に流れ込むように前記排水出口に対する前記排水入口の位置を決める位置決め手段と、
前記排水入口が、前記排水出口から前記排水入口に反応水が流れ込むことが可能な部位に位置していない場合に、前記電動駆動源の作動を禁止する作動禁止手段と
を備えることを特徴とする電動工具。
【請求項２】
前記保水手段を着脱可能に保持する保持部を備えていることを特徴とする請求項１に記載の電動工具。
【請求項３】
電力の供給を受けて工具を稼働させる電動駆動源と、
燃料と酸化剤とを酸化反応させることにより電力を発生させる燃料電池と、
前記燃料電池で発生した反応水を保水する保水手段と
前記保水手段を着脱可能に保持する保持部と、
前記保水手段に設けられ、反応水が流入する排水入口が設けられたタンク部と、
前記保水手段が保持される部位に設けられ、反応水を排出する排水出口と、
反応水が前記排水出口から前記排水入口に流れ込むように前記排水出口に対する前記排水入口の位置を決める位置決め手段と、
前記排水入口が、前記排水出口から前記排水入口に反応水が流れ込むことが可能な部位に位置していない場合に、前記電動駆動源の作動を禁止する作動禁止手段と
を備えていることを特徴とする電動工具。
【請求項４】
前記保水手段には、前記保水手段に保水されている反応水を前記保水手段から排除する反応水排除手段を備えていることを特徴とする請求項１ないし３のいずれか１項に記載の電動工具。
【請求項５】
前記燃料電池に供給する燃料が蓄えられた燃料タンクを備えており、
前記燃料タンクと前記保水手段とが一体化されていることを特徴とする請求項１ないし４のいずれか１項に記載の電動工具。
【請求項６】
前記保水手段は、前記電動駆動源が収納された工具本体部と別体として設けられていることを特徴とする請求項１ないし５のいずれか１項に記載の電動工具。
【請求項７】
前記保水手段は、ユーザが背負うことが可能な別体部に設けられていることを特徴とする請求項６に記載の電動工具。
【請求項８】
電力の供給を受けて工具を稼働させる電動駆動源と、
燃料と酸化剤とを酸化反応させることにより電力を発生させる燃料電池と、
前記燃料電池で発生した反応水を保水する保水手段と
前記保水手段に設けられ、反応水を貯留するとともに、反応水が流入する排水入口が設けられたタンク部と、
前記排水入口に設けられ、前記タンク部に貯留されている反応水が前記排水入口から前記タンク部外に逆流することを防止する逆流防止手段と
を備えることを特徴とする電動工具。
【請求項９】
電力の供給を受けて工具を稼働させる電動駆動源と、
燃料と酸化剤とを酸化反応させることにより電力を発生させる燃料電池と、
前記燃料電池で発生した反応水を保水する保水手段とを備え、
前記保水手段は、反応水が貯留可能な空間を構成するタンク部、及び前記タンク部内に配設され、反応水を吸着保持する多孔体を有して構成されている
ことを特徴とする電動工具。
【請求項１０】
前記保水手段を着脱可能に保持する保持部を備えていることを特徴とする請求項８又は９に記載の電動工具。
【発明の詳細な説明】
【技術分野】
【０００１】
本発明は、燃料電池を備える電動工具に関するものである。
【背景技術】
【０００２】
燃料電池を備える電動工具として、例えば、特許文献１発明では、燃料電池から電動モータに電力を供給している。
【先行技術文献】
【特許文献】
【０００３】
【特許文献１】特開２００８−１３２５５１号公報
【発明の概要】
【発明が解決しようとする課題】
【０００４】
ところで、燃料電池は、水素等の燃料と酸素等の酸化剤とを酸化反応させることにより電力を発生させる化学電池の一種であるが、特許文献１に記載の発明では、酸化反応により発生した反応水（特許文献１では、水）の処理方法に関する具体的な手段が明示されていない。
【０００５】
なお、反応水をそのまま電動工具から排水すると、ユーザや建材等の作業対象物が漏れてしまい、好ましくない。
本発明は、上記点に鑑み、新規な構成の電動工具を提供するとともに、反応水がそのまま電動工具から排水されることを防止した燃料電池を用いた電動工具を提供することを目的とする。
【課題を解決するための手段】
【０００６】
本願発明は、上記目的を達成するために、電力の供給を受けて工具を稼働させる電動駆動源（３）と、燃料と酸化剤とを酸化反応させることにより電力を発生させる燃料電池（１１Ａ）と、燃料電池（１１Ａ）で発生した反応水を保水する保水手段（１３）とを備えることを特徴とする。
【０００７】
これにより、本願発明では、燃料電池（１１Ａ）で発生した反応水が保水手段（１３）により保水されるので、反応水がそのまま電動工具から排水されることを防止できる。
また、本願発明では、保水手段（１３）が着脱可能に組み付けられた構成としてもよく、この場合、例えば、保水手段（１３）を燃料電池（１１Ａ）若しくは燃料電池（１１Ａ）が収納された電池パックに着脱可能とした構成、電動工具本体に着脱可能とした構成又はその他構成としてもよい。
【０００８】
また、本願発明では、保水手段（１３）は、反応水が流入する排水入口（１３Ａ）が設けられたタンク部（１３Ｂ）を有する構成とし、かつ、反応水を排出する排水出口（１１Ｆ）を、例えば保水手段（１３）が組み付けられる部位に設けられた構成としてもよい。
【０００９】
この場合、保水手段（１３）が装着される際に、排水出口（１１Ｆ）に対する排水入口（１３Ａ）の位置を決める位置決め手段（１１Ｈ、１１Ｊ、１３Ｄ、１３Ｅ）を備えた構成とすることが望ましい。
【００１０】
また、本願発明では、排水入口（１３Ａ）が排水出口（１１Ｆ）に対して所定の位置にない場合に、電動駆動源（３）の作動を禁止する作動禁止手段（２１）を備えた構成としてもよい。
【００１１】
また、本願発明では、保水手段（１３）には、保水手段（１３）に保水されている反応水を保水手段（１３）から排除する反応水排除手段（１３Ｎ、１３Ｑ、１３Ｒ）を備えた構成としてもよい。
【００１２】
また、本願発明では、燃料電池（１１Ａ）に供給する燃料が蓄えられた燃料タンク（１１Ｂ）を備えており、燃料タンク（１１Ｂ）と保水手段（１３）とが一体化された構成としてもよい。
【００１３】
また、本願発明では、保水手段（１３）は、電動駆動源（３）が収納された工具本体部（３、５）と別体として設けられた構成としてもよい。
また、本願発明では、保水手段（１３）は、ユーザが背負うことが可能な別体部（１４）に設けられた構成としてもよい。
【００１４】
また、本願発明では、保水手段（１３）は、反応水を貯留するとともに、反応水が流入する排水入口（１３Ａ）が設けられたタンク部（１３Ｂ）を有し、かつ、排水入口（１３Ａ）には、タンク部（１３Ｂ）に保持されている反応水が排水入口（１３Ａ）からタンク部（１３Ｂ）外に逆流することを防止する逆流防止手段（１３Ｌ）が設けられた構成としてもよい。
【００１５】
さらに、本願発明では、保水手段（１３）は、反応水が貯留可能な空間を構成するタンク部（１３Ｂ）、及びタンク部（１３Ｂ）内に配設されて反応水を吸着保持する多孔体（１３Ｍ）を有して構成されたものとしてもよい。
【００１６】
因みに、上記各手段等の括弧内の符号は、後述する実施形態に記載の具体的手段等との対応関係を示す一例であり、本発明は上記各手段等の括弧内の符号に示された具体的手等に限定されるものではない。
【図面の簡単な説明】
【００１７】
【図１】本発明の第１実施形態に係る電動工具の模式図である。
【図２】本発明の第１実施形態に係る電池パック１１の模式図である。
【図３】（ａ）は本発明の第１実施形態に係る保水タンク１３を電池パック１１から取り外した状態を前後方向から見た図であり、（ｂ）は本発明の第１実施形態に係る保水タンク１３を電池パック１１に装着する際の様子を前後方向から見た図である。
【図４】（ａ）、（ｂ）は本発明の第１実施形態に係る保水タンク１３の装着時の様子を左右方向から見た説明図である。
【図５】本発明の第１実施形態に係る電動工具の電気系ブロック図である。
【図６】（ａ）、（ｂ）は本発明の第２実施形態に係る保水タンク１３の装着時の説明図である。
【図７】（ａ）、（ｂ）は本発明の第３実施形態に係る保水タンク１３の装着時の説明図である。
【図８】（ａ）は本発明の第４実施形態に係る電動工具の特徴的構造を示す図であり、（ｂ）は本発明の第４実施形態に係る電動工具の特徴的な電気構成を示す図である。
【図９】本発明の第５実施形態に係る電動工具の特徴的構造を示す図である。
【図１０】本発明の第６実施形態に係る保水タンク１３の特徴的構造を示す図である。
【図１１】本発明の第７実施形態に係る保水タンク１３の特徴的構造を示す図である。
【図１２】本発明の第８実施形態に係る保水タンク１３の特徴的構造を示す図である。
【図１３】本発明の第８実施形態に係る電動工具本体の特徴的構造を示す図である。
【図１４】（ａ）は本発明の第９実施形態に係る保水タンク１３を電池パック１１から取り外した状態を前後方向から見た図であり、（ｂ）は本発明の第９実施形態に係る保水タンク１３を電池パック１１に装着する際の様子を左右方向から見た図である。
【図１５】本発明の第１０実施形態に係る電動工具の模式図である。
【発明を実施するための形態】
【００１８】
本実施形態は、本発明に係る電動工具を電動ドライバーや電動ドリル等の電動工具に適用したものであり、以下に本発明の実施形態を図面と共に説明する。
（第１実施形態）
１．電動工具の機械的構造（図１〜図３参照）
本実施形態に係る電動工具１の外観形状は、図１に示すように、ドライバービットやドリルビットを回転稼働させる電動モータ３が収納された略円筒状の本体部５、及び本体部５から突出するように本体部５に設けられたハンドル部７を有してピストル状に形成されている。
【００１９】
なお、電動モータ３の回転軸には、ドライバービットを固定するためのチャッキング３Ａ及び電動モータ３に冷却風を送風するためのファン３Ｂが設けられており、電動モータ３が回転すると、チャッキング３Ａ及びファン３Ｂは、回転軸と一体的に回転する。
【００２０】
ハンドル部７はユーザに把持される把持部であり、このハンドル部７には、電動工具１（電動モータ３）を稼働させる工具スイッチ（トリガー）９が設けられている。なお、以下、本体部５及びハンドル部７を総称するときは、電動工具本体と記す。
【００２１】
そして、ハンドル部７の先端には、電動モータ３に電力を供給する電池パック１１が着脱可能に組み付けられており、この電池パック１１は、図２に示すように、少なくとも燃料電池（ＦＣスタック）１１Ａ、燃料タンク１１Ｂ、二次電池１１Ｃ及び燃料ポンプ１１Ｄ、並びにこれら１１Ａ〜１１Ｄを収納するケーシング１１Ｅを有して構成されている。
【００２２】
因みに、図２は、電池パック１１の概要を示す模式図であるので、例えば、図３（ａ）等に示された電池パック１１の外観形状と一致しない箇所もある。
燃料電池１１Ａは、燃料と酸化剤とを酸化反応させることにより電力を発生させるものであり、本実施形態に係る燃料電池１１Ａは、改質後の燃料（水素）を供給するのではなく、燃料タンク１１Ｂに蓄えられた液体燃料（メタノール）を直接供給する直接メタノール型燃料電池（ＤＭＦＣ）を採用している。なお、二次電池１１Ｃは、充放電可能な化学電池やキャパシタ等である。
【００２３】
因みに、燃料タンク１１Ｂに蓄えられている燃料は、燃料ポンプ１１Ｄにより燃料電池１１Ａに供給されており、この燃料ポンプ１１Ｄは、二次電池１１Ｃから供給される電力により稼働する。
【００２４】
また、電池パック１１の下方側には、図１に示すように、燃料電池１１Ａで発生した反応水を保水する保水タンク１３が電池パック１１（ケーシング１１Ｅ）に着脱可能に装着されている。なお、本実施形態に係る保水タンク１３は、燃料タンク１１Ｂに蓄えられている燃料を全て反応させたときに発生する反応水を貯留可能な容量に設定されている。
【００２５】
因みに、電池パック１１の下方側とは、電動工具１が図１に示す状態で配置された場合における紙面下方側を意味しており、以下、特に断りが無い場合には、電動工具１が図１に示す状態で配置された場合における紙面上側を上方側といい、紙面下方側を下方側という。
【００２６】
そして、保水タンク１３は、図３（ａ）及び図３（ｂ）に示すように、反応水を貯留するとともに、反応水が流入する排水入口１３Ａが設けられた樹脂製のタンク部１３Ｂにより構成されており、排水入口１３Ａには、ゴム等の弾性体からなるパッキン（Ｏリング）１３Ｃが装着されている。
【００２７】
一方、電池パック１１（ケーシング１１Ｅ）のうち保水タンク１３が保持される部位、つまり電池パック１１の下方側には、反応水を排出する排水出口１１Ｆが設けられており、この排水出口１１Ｆにもゴム等の弾性体からなるパッキン（Ｏリング）１１Ｇが装着されている。
【００２８】
そして、保水タンク１３及び電池パック１１（ケーシング１１Ｅ）には、図３（ａ）、図３（ｂ）、図４（ａ）及び図４（ｂ）に示すように、反応水が排水出口１１Ｆから排水入口１３Ａに流れ込むように排水出口１１Ｆに対する排水入口１３Ａの位置を決める位置決め部１１Ｈ、１１Ｊ、１３Ｄ、１３Ｅが設けられている。
【００２９】
すなわち、保水タンク１３は、図４（ａ）及び図４（ｂ）に示すように、電池パック１１に対して上下方向と直交する方向（以下、この方向を前後方向という。）に平行移動可能に電池パック１１に装着されている。そして、保水タンク１３は電池パック１１に装着されたときに、保水タンク１３に設けられた位置決め部１３Ｅと電池パック１１に設けられた位置決め部１１Ｊとが接触することにより、図４（ｂ）に示すように、電池パック１１に対する前後方向の保水タンク１３の位置が決められる。
【００３０】
また、電池パック１１に設けられた位置決め部１１Ｈは、図３（ａ）に示すように、上下方向及び前後方向と直交する方向（以下、この方向を左右方向という。）において、離間した２つの壁面にて構成されている。そして、保水タンク１３が電池パック１１に装着されたときに、図３（ｂ）に示すように、保水タンク１３に設けられた位置決め部１３Ｄと電池パック１１に設けられた位置決め部１１Ｈとが接触することにより、電池パック１１に対する左右方向の保水タンク１３の位置が決められる。
【００３１】
このように、電池パック１１に対する左右方向及び前後方向の保水タンク１３の位置が決められると、電池パック１１の排水出口１１Ｆと保水タンク１３の排水入口１３Ａとが一致するので、反応水が排水出口１１Ｆから排水入口１３Ａに流れ込むよう排水出口１１Ｆに対する排水入口１３Ａの位置が決められる。なお、電池パック１１に対する上下方向の保水タンク１３の位置は、保水タンク１３の上面側が電池パック１１（ケーシング１１Ｅ）の下面側に接触することにより決められる。
【００３２】
また、電池パック１１の下面側には、図３（ａ）に示すように、保水タンク１３を電池パック１１に対して着脱可能に保持するための保持部１１Ｋが設けられており、この保持部１１Ｋは、前後方向に延びるとともに、前後方向に直交する断面の形状が略Ｌ又はコの字状に形成されている。そして、保持部１１Ｋは、保水タンク１３に設けられた略Ｌ又はコの字状のフック部１３Ｆと係合することにより保水タンク１３を保持する。
【００３３】
また、電池パック１１及び保水タンク１３のうちいずれか一方（本実施形態では、保水タンク１３）には、図４（ａ）に示すように、他方側（本実施形態では、電池パック１１）に設けられた係合部１１Ｌと係合する係合体１３Ｇが設けられている。
【００３４】
そして、係合部１１Ｌは、電池パック１１の下面から上方側に陥没する凹部により構成され、係合体１３Ｇは、電池パック１１の下面と面する保水タンク１３の上面から下方側に延びる穴に出没可能に収納されているとともに、バネ１３Ｈ等の弾性体により電池パック１１側（上方側）に向けて押圧（付勢）されている。
【００３５】
このため、係合体１３Ｇの先端側（電池パック１１の下面と面する側）は、通常、バネ１３Ｈの弾性力により保水タンク１３の上面から突出した状態となっている。そして、ユーザにより操作部１３Ｊが下方側に変位させられると、係合体１３Ｇは操作部１３Ｊと一体的に変位するため、係合体１３Ｇ全体が穴（保水タンク１３）内に収納される。
【００３６】
また、係合体１３Ｇの先端側のうち位置決め部１３Ｅ側には、係合体１３Ｇの長手方向（上下方向）に対して傾斜した傾斜面１３Ｋが設けられているので、フック部１３Ｆが保持部１１Ｋに係止された状態で、保水タンク１３が位置決め部１１Ｊに向けて平行移動されると、傾斜面１３Ｋと電池パック１１（ケーシング１１Ｅ）とが接触することにより、係合体１３Ｇを保水タンク１３内に押し込む力が係合体１３Ｇに作用する。
【００３７】
そして、保水タンク１３に設けられた位置決め部１３Ｅと電池パック１１に設けられた位置決め部１１Ｊとが接触するまで保水タンク１３が平行移動すると、図４（ｂ）に示すように、係合体１３Ｇの先端が係合部１１Ｌに填り込んで両者１３Ｇ、１１Ｌが係合し、電池パック１１に対する保水タンク１３の位置が保持・固定される。
【００３８】
２．電動工具の電気的構成（図５参照）
電動モータ３及び燃料ポンプ１１Ｄの作動は、図５に示すように、制御部２０により制御されており、この制御部２０は、二次電池１１Ｃ及び燃料電池１１Ａから電力の供給を受けて電動モータ３及び燃料ポンプ１１Ｄを駆動する。なお、制御部２０は、二次電池１１Ｃから電力の供給を受けて作動する。
【００３９】
すなわち、ユーザにより工具スイッチ９が投入（ＯＮ）されると、制御部２０は、先ず、二次電池１１Ｃから燃料ポンプ１１Ｄ及び電動モータ３に電力を供給して燃料ポンプ１１Ｄ及び電動モータ３を作動させることにより、燃料タンク１１Ｂの燃料を燃料電池１１Ａに供給して燃料電池１１Ａにて電力を発生させるとともに、電動モータ３を回転させる。
【００４０】
そして、燃料電池１１Ａから電力の供給が開始されると、制御部２０は、二次電池１１Ｃの残電力や電動モータ３で必要とされる電力に応じて、燃料電池１１Ａから供給された電力を電動モータ３及び二次電池１１Ｃのうち少なくとも一方に供給する。
【００４１】
また、ユーザにより工具スイッチ９が遮断（ＯＦＦ）されると、制御部２０は、燃料ポンプ１１Ｄ及び電動モータ３への電力供給を停止させる。
３．本実施形態に係る電動工具の特徴
本実施形態では、燃料電池１１Ａで発生した反応水を保水する保水タンク１３を備えているので、反応水が保水タンク１３により保水され、反応水がそのまま電動工具１から排水されることを防止できる。
【００４２】
また、本実施形態では、保水タンク１３が電池パック１１に着脱可能に装着されているので、保水タンク１３を電池パック１１から取り外すことにより、保水タンク１３に貯留された反応水を容易に処理（廃棄）することができる。
【００４３】
また、保水タンク１３が装着される際に、排水出口１１Ｆに対する排水入口１３Ａの位置を決める位置決め部１１Ｈ、１１Ｊ、１３Ｄ、１３Ｅを備えているので、排水出口１１Ｆと排水入口１３Ａとが一致し、反応水が排水出口１１Ｆから排水入口１３Ａに流れ込むよう排水出口１１Ｆに対する排水入口１３Ａの位置が決められる。したがって、排水出口１１Ｆから排出された反応水を確実に保水タンク１３にて受け止めることができるので、反応水が電動工具１から排水されることを防止できる。
【００４４】
また、本実施形態では、排水入口１３Ａ及び排水出口１１Ｆそれぞれにパッキン１３Ｃ、１１Ｇが装着されているので、排水出口１１Ｆと排水入口１３Ａとの合わせ面から反応水が電動工具１外に漏れ出てしまうことを防止できる。
【００４５】
（第２実施形態）
上述の実施形態では、係合体１３Ｇが上下方向に変位する構成であったが、本実施形態は、図６（ａ）及び図６（ｂ）に示すように、フック部１３Ｆのうち電池パック１１側の部分を係合体１３Ｇとするととともに、この係合体１３Ｇを左右方向に変位可能とすることにより、係合体１３Ｇを保水タンク１３に対して出没可能としている。
【００４６】
なお、本実施形態では、保水タンク１３を電池パック１１に対して上下方向に変位させることにより、保水タンク１３を電池パック１１に対して着脱する構成としているので、傾斜面１３Ｋは、係合体１３Ｇの先端側のうち電池パック１１の下面側に設けられている。
【００４７】
また、本実施形態では、保水タンク１３を電池パック１１に対して上下方向に変位させることにより、保水タンク１３を電池パック１１に対して着脱する構成としているので、保水タンク１３が電池パック１１に装着される際に、両パッキン１３Ｃ、１１Ｇには、パッキン１３Ｃ、１１Ｇを押し潰すように力が作用し、剪断力が作用し難い。したがって、保水タンク１３を電池パック１１に装着する際に両パッキン１３Ｃ、１１Ｇが損傷してしまうことを抑制できる。
【００４８】
（第３実施形態）
本実施形態は、第１実施形態の変形例である。具体的には、図７（ａ）及び図７（ｂ）に示すように、保水タンク１３側の位置決め部１３Ｅに排水入口１３Ａを設け、電池パック１１側の位置決め部１１Ｊに排水出口１１Ｆを設けるとともに、排水入口１３Ａ及び排水出口１１Ｆそれぞれにパッキン１３Ｃ、１１Ｇを装着し、かつ、両位置決め部１３Ｅ、１１Ｊを前後方向及び上下方向に対して傾けたものである。
【００４９】
これにより、保水タンク１３を前後方向に平行移動させて電池パック１１に装着させても、両パッキン１３Ｃ、１１Ｇに剪断力が作用し難い構成となるので、保水タンク１３を電池パック１１に装着する際に両パッキン１３Ｃ、１１Ｇが損傷してしまうことを抑制できる。
【００５０】
なお、本実施形態は、図７（ａ）及び図７（ｂ）に示す構成に限定されるものではなく、保水タンク１３の装着方向に対して両位置決め部１３Ｅ、１１Ｊを傾斜させればよいので、例えば両位置決め部１３Ｅ、１１Ｊを上下方向に対して平行としてもよい。
【００５１】
（第４実施形態）
本実施形態は、排水入口１３Ａが、排水出口１１Ｆから排水入口１３Ａに反応水が流れ込むことが可能な位置（以下、この位置を装着完了位置という。）にない場合に、電動モータ３の作動を禁止する構成としたものである。
【００５２】
すなわち、図８（ａ）に示すように、電池パック１１の位置決め部１１Ｈ、１１Ｊのうち少なくとも１つの位置決め部（本実施形態では、位置決め部１１Ｊ）に保水タンク１３が装着完了位置に位置するか否かを検出するタンク検知スイッチ２１を設けるとともに、このタンク検知スイッチ２１を、図８（ｂ）に示すように、工具スイッチ９と直列に設ける。
【００５３】
これにより、保水タンク１３が装着完了位置に位置していないときは、タンク検知スイッチ２１が開放状態となるので、工具スイッチ９の状態によらず、電動モータ３に電力が供給されない。一方、保水タンク１３が装着完了位置に位置しているときは、タンク検知スイッチ２１が閉状態となるので、工具スイッチ９の状態に応じて電動モータ３に電力が供給される。つまり、本実施形態では、タンク検知スイッチ２１は、排水入口１３Ａが装着完了位置にない場合に、電動モータ３の作動を禁止する作動禁止手段として機能する。
【００５４】
したがって、本実施形態では、排水入口１３Ａが装着完了位置にない場合に、電動モータ３が作動してしまうことを防止できるので、反応水が電動工具１からそのまま排水されることを防止できる。
【００５５】
なお、本実施形態は、排水入口１３Ａが装着完了位置にない場合に、電動モータ３が作動することを禁止することを特徴とするので、作動禁止手段はタンク検知スイッチ２１に限定されるものではなく、例えば、排水入口１３Ａが装着完了位置ない場合には工具スイッチ９を投入操作できないように機械的にロックする構成としてもよい。
【００５６】
（第５実施形態）
本実施形態は、図９に示すように、タンク部１３Ｂに貯留されている反応水が排水入口１３Ａからタンク部１３Ｂ外に逆流することを防止する逆流防止弁１３Ｌを設けたものである。
【００５７】
すなわち、逆流防止弁１３Ｌは、逆流防止弁１３Ｌに作用する重力により、排水入口１３Ａを閉じる位置（図９の二点鎖線で示す位置）と排水入口１３Ａを開く位置（図９の実線で示す位置）との間で変位することができるように保水タンク１３に組み付けられている。
【００５８】
そして、逆流防止弁１３Ｌは、排水入口１３Ａに対して排水出口１１Ｆが、重力方向において上方側に位置している場合には、逆流防止弁１３Ｌに作用する重力により排水入口１３Ａを開く位置となるように構成され、一方、排水入口１３Ａに対して排水出口１１Ｆの少なくとも一部が、重力方向において上方側に位置していない場合には、逆流防止弁１３Ｌに作用する重力により排水入口１３Ａを閉じる位置に変位するように構成されている。
【００５９】
つまり、本実施形態では、板状の逆流防止弁１３Ｌは、排水入口１３Ａを開閉可能な位置であってタンク部１３Ｂの内側に揺動可能に組み付けられている。このため、図９に示すように、排水出口１１Ｆが排水入口１３Ａに対して重力方向において上方側に位置している場合には、逆流防止弁１３Ｌに作用する重力により、逆流防止弁１３Ｌは、重力方向下方側に揺動するため、排水入口１３Ａを開く位置となる。
【００６０】
一方、電動工具１が傾けられる等して、排水出口１１Ｆの少なくとも一部が排水入口１３Ａに対して重力方向において上方側に位置していない場合には、逆流防止弁１３Ｌに作用する重力により、逆流防止弁１３Ｌは、重力方向下方側に揺動するため、排水入口１３Ａを閉じる位置に向けて変位する。
【００６１】
したがって、排水出口１１Ｆが排水入口１３Ａに対して重力方向において上方側に位置している場合には、排水出口１１Ｆから排出された反応水は、重力により下方側に移動するので、タンク部１３Ｂに貯留されている反応水が排水入口１３Ａからタンク部１３Ｂ外に逆流することはない。
【００６２】
また、排水出口１１Ｆの少なくとも一部が排水入口１３Ａに対して重力方向において上方側に位置していない場合には、排水入口１３Ａが逆流防止弁１３Ｌにより閉じられるので、タンク部１３Ｂに貯留されている反応水が排水入口１３Ａからタンク部１３Ｂ外に逆流することはない。
【００６３】
以上のように、本実施形態では、電動工具１の姿勢によらず、タンク部１３Ｂに貯留されている反応水が排水入口１３Ａからタンク部１３Ｂ外に逆流することを防止できるので、反応水が電動工具１からそのまま排水されることを防止できる。
【００６４】
なお、本実施形態では、保水タンク１３が、紙面に対して右向き（時計回り）又は左向き（反時計回り）のいずれの向きに対して回転しても排水入口１３Ａが逆流防止弁１３Ｌにより閉じられるように、図９に示す状態において、逆流防止弁１３Ｌが鉛直方向（上下方向）に対して傾いた状態となるように構成されている。
【００６５】
（第６実施形態）
本実施形態は、図１０に示すように、タンク部１３Ｂ内に反応水を吸着保持するスポンジ状の多孔体１３Ｍを配設したものである。
【００６６】
これにより、本実施形態では、タンク部１３Ｂ内に貯留している反応水が多孔体１３Ｍにより吸着保持されるので、電動工具１の姿勢によらず、タンク部１３Ｂに貯留されている反応水が排水入口１３Ａからタンク部１３Ｂ外に逆流してしまうことを防止できるとともに、電動工具１の姿勢に応じて反応水が揺れ動いてしまうことを防止できる。
【００６７】
（第７実施形態）
上述の実施形態では、保水タンク１３を電池パック１１に着脱可能に組み付けていたので、タンク部１３Ｂに貯留されている反応水を排水する際には、保水タンク１３を電池パック１１から取り外し、排水入口１３Ａから排水するものであったが、本実施形態は、図１１に示すように、保水タンク１３の下方側にタンク部１３Ｂに貯留されている反応水を排水するドレン口１３Ｎを設けるとともに、ドレン口１３Ｎを着脱可能なキャップ１３Ｐにて閉塞したものである。
【００６８】
これにより、本実施形態に係る電動工具１では、保水タンク１３を電池パック１１から取り外すことなく、キャップ１３Ｐを取り外すのみでタンク部１３Ｂに貯留されている反応水を排水することができる。
【００６９】
なお、本実施形態では、ドレン口１３Ｎが保水タンク１３から反応水を排除する反応水排除手段に相当する。
（第８実施形態）
本実施形態は、図１２に示すように、保水タンク１３と電池パック１１とを一体化するとともに、ファン３Ｂにて誘起された気流のうち少なくとも一部を保水タンク１３（タンク部１３Ｂ）に導入して、タンク部１３Ｂに貯留されている反応水の蒸発を促すものである。
【００７０】
すなわち、電動工具本体には、図１３に示すように、ファン３Ｂにて誘起された気流の一部（以下、この気流を導風という。）を保水タンク１３（タンク部１３Ｂ）に導く導風路７Ａが設けられている。一方、電池パック１１と一体化された保水タンク１３には、図１２に示すように、導風路７Ａとタンク部１３Ｂとを連通させる吸気口１３Ｑ、及びタンク部１３Ｂ内に導かれた導風を保水タンク１３外に排出するための排気口１３Ｒが設けられている。
【００７１】
これにより、工具スイッチ９が投入されて、電動モータ３が回転し始めると、タンク部１３Ｂ内に導風が流通するので、燃料電池１１Ａ（電池パック１１）からタンク部１３Ｂ内に貯留している反応水の蒸発が促進されるとともに、その蒸発した反応水が導風と共に排気口１３Ｒから保水タンク１３外に排出される。
【００７２】
したがって、タンク部１３Ｂ（保水タンク１３）に多くの反応水が貯留してしまうことを防止できるので、反応水を排水するための作業回数を低下させることができる。つまり、本実施形態では、吸気口１３Ｑ及び排気口１３Ｒ等が保水タンク１３から反応水を排除する反応水排除手段として機能する。
【００７３】
なお、図１３では、ファン３Ｂにて誘起された気流の一部を導風として保水タンク１３に導いたが、本実施形態はこれに限定されるものではなく、例えば、ファン３Ｂをチャッキング３Ａ側に配置して、ファン３Ｂにて誘起された気流の全てを導風として保水タンク１３に導く構成としてもよい。
【００７４】
また、図１２では、タンク部１３Ｂ内に多孔体１３Ｍを配設したが、本実施形態はこれに限定されるものではなく、多孔体１３Ｍを廃止してもよい。
（第９実施形態）
第１実施形態では、保持部１１Ｋがフック状（コの字状）であったが、本実施形態は、図１４（ａ）に示すように、保持部１１Ｋを袋状としたものである。そして、本実施形態においても、図１４（ｂ）に示すように、保水タンク１３を前後方向に平行移動させることにより、保水タンク１３を電池パック１１に対して着脱することができる。
【００７５】
（第１０実施形態）
上述の実施形態では、保水タンク１３は電動工具本体と別体として設けられているものの、使用時においては、電動工具本体又は電動工具本体に装着された電池パック１１に組み付けられ、電動工具本体と一体化された状態で使用されるものであったが、本実施形態は、図１５に示すように、少なくとも保水タンク１３をユーザが背負うことが可能な別体部１４に設けたものである。
【００７６】
なお、「ユーザが背負う」とは、背中で別体部１４を背負う場合は勿論のこと、腰、腕、又は足等にベルトで固定する場合も含む意味である。
また、図１５では、別体部１４に保水タンク１３のみ設けられていたが、本実施形態はこれに限定されるものではなく、別体部１４に保水タンク１３及び電池パック１１を収納してもよい。
【００７７】
（その他の実施形態）
上述の実施形態では、ピストル型の電動工具に本発明を適用したが、本発明の適用はこれに限定されるものではなく、例えば芝刈り機等の園芸用工具にも適用できる。
【００７８】
また、上述の実施形態では、燃料電池１１Ａとして直接メタノール型燃料電池（ＤＭＦＣ）を採用したが、本発明はこれに限定されるものではない。
また、上述の実施形態では、燃料電池１１Ａと二次電池１１Ｃとが同一のケーシング１１Ｅに収納されていたが、本発明はこれに限定されるものではなく、例えば二次電池１１Ｃを電動工具本体に収納してもよい。
【００７９】
また、上述の実施形態では、電源として燃料電池１１Ａ及び二次電池１１Ｃを有していたが、例えば、燃料として高圧水素等を用いた場合には、燃料ポンプ１１Ｄを必要としないので、電源として、二次電池１１Ｃを用いることなく燃料電池１１Ａのみとした構成としてもよい。
【００８０】
また、保水タンク１３に貯留している反応水の量が所定量を超えたか否かを検出する満水検出手段を設け、この満水検出手段により反応水の量が所定量を超えたことが検出された場合には、電動モータ３の作動を禁止する作動禁止手段を設けてもよい。
【００８１】
また、上述の実施形態では、電池パック１１のうち保水タンク１３が保持される部位に排水出口１１Ｆが設けられていたが、本発明はこれに限定されるものではなく、例えば、電池パック１１のうち保水タンク１３が保持される部位と異なる部位に排水出口１１Ｆを設けてもよい。
【００８２】
また、本発明は、特許請求の範囲に記載された発明の趣旨に合致するものであればよく、上述の実施形態に限定されるものではない。
【符号の説明】
【００８３】
１…電動工具、３…電動モータ、３Ａ…チャッキング、３Ｂ…ファン、
５…本体部、７…ハンドル部、７Ａ…導風路、９…工具スイッチ、
１１…電池パック、１１Ａ…燃料電池、１１Ｂ…燃料タンク、１１Ｃ…二次電池、
１１Ｄ…燃料ポンプ、１１Ｅ…ケーシング、１１Ｆ…排水出口、１１Ｇ…パッキン、
１１Ｈ…位置決め部、１１Ｊ…位置決め部、１１Ｋ…保持部、１１Ｌ…係合部、
１３…保水タンク、１３Ａ…排水入口、１３Ｂ…タンク部、１３Ｃ…パッキン、
１３Ｄ…位置決め部、１３Ｅ…位置決め部、１３Ｆ…フック部、１３Ｇ…係合体、
１３Ｈ…バネ、１３Ｊ…操作部、１３Ｋ…傾斜面、１３Ｌ…逆流防止弁、
１３Ｍ…多孔体、１３Ｎ…ドレン口、１３Ｐ…キャップ、１３Ｑ…吸気口、
１３Ｒ…排気口、１４…別体部、２０…制御部、２１…タンク検知スイッチ。
【図１】
0005431975.tif 000002
【図２】
0005431975.tif 000003
【図３】
0005431975.tif 000004
【図４】
0005431975.tif 000005
【図５】
0005431975.tif 000006
【図６】
0005431975.tif 000007
【図７】
0005431975.tif 000008
【図８】
0005431975.tif 000009
【図９】
0005431975.tif 000010
【図１０】
0005431975.tif 000011
【図１１】
0005431975.tif 000012
【図１２】
0005431975.tif 000013
【図１３】
0005431975.tif 000014
【図１４】
0005431975.tif 000015
【図１５】
0005431975.tif 000016